(57)【要約】【課題】引裂帯が千切れることなく、確実に開梱でき、積上荷重に対する強度も低下しない包装箱を提供する。【解決手段】各一対の平面板１及び側面板２を筒状に連設し、側面板２から延びる端蓋片４と、平面板１から延びる端蓋板５とを貼り合わせて端面を閉じ、側面板２から端蓋片４にかけて引裂帯８を設け、引裂帯８の切始部９を側面板２に形成した包装箱において、平面板１の四隅を膨出弧状に切断し、側面板２と端蓋片４との境界部分に、平面板１の弧状縁に沿って順次折れ曲がるように複数条の罫線６を入れて曲面部７を形成し、この曲面板７に、引裂帯８に沿ってハの字状の切目１０を断続的に入れ、引裂帯８を側面板２から端蓋片４へスムーズに回り込むように引っ張ることができるようにする。【選択図】図２
2006193186.tif 000002
【特許請求の範囲】
【請求項１】
各一対の平面板及び側面板を筒状に連設し、側面板から延びる端蓋片と、平面板から延びる端蓋板とを貼り合わせて端面を閉じ、側面板から端蓋片にかけて引裂帯を設け、引裂帯の切始部を側面板に形成した包装箱において、平面板の四隅を膨出弧状に切断し、側面板と端蓋片との境界部分に、平面板の弧状縁に沿って順次折れ曲がるように複数条の罫線を入れて曲面部を形成したことを特徴とする包装箱。
【請求項２】
前記曲面部に、引裂帯に沿ってハの字状の切目を断続的に入れ、手前の切目の先端よりも次の切目の基端が引裂帯の内側に位置するようにしたことを特徴とする請求項１に記載の包装箱。
【発明の詳細な説明】
【技術分野】
【０００１】
この発明は、飲料缶の集合包装等に使用される包装箱であって、開梱用の引裂帯を有するものに関する。
【背景技術】
【０００２】
一般に、ビール等の飲料缶は、図５に示すようなラップラウンド式の段ボール製包装箱により梱包される。
【０００３】
この包装箱は、各一対の平面板５１及び側面板５２を筒状に連設し、側面板５２から延びる端蓋片５３と、平面板５１から延びる端蓋板５４とを貼り合わせて端面を閉じ、側面板５２から端蓋片５３にかけて裏面側のライナを切断した引裂帯５５を設け、その切始部５６を側面板５２の中間部に切目を入れて形成したものである。
【０００４】
このような包装箱では、切始部５６から引裂帯５５を引っ張って、側面板５２及び端蓋片５３を切断すると、箱体が上下に分割されるので、その上半部を除去して、トレー状となった下半部から露出する飲料缶を店頭で陳列することができる。
【０００５】
ところが、この開梱に際し、引裂帯５５を勢いよく引っ張ると、角張った側面板５２と端蓋板５３との境界で引裂帯５５が千切れてしまい、所定の手順で開梱できなくなることがあった。
【０００６】
このため、下記特許文献１においては、図６に示すように、一対の切始部５６を端部側へ寄せて、その間に切目線５７を入れておき、引裂帯５５の長さを短縮することにより、引裂帯５５を引っ張る勢いを抑制して、引裂帯５５の千切れを防止しようとするものが提案されている。
【０００７】
【特許文献１】特開２００４−１５５４７８号公報
【発明の開示】
【発明が解決しようとする課題】
【０００８】
しかしながら、図６に示す包装箱では、引裂帯５５の千切れ防止効果が不十分であるだけでなく、段ボールを貫通する長い切目線５７が側面板５２の中間部に入れられているため、側面板５２の強度が低下し、輸送時や保管時に積上荷重が作用すると、側面板５２が座屈して変形するおそれがあった。
【０００９】
そこで、この発明は、引裂帯が千切れることなく、確実に開梱でき、積上荷重に対する強度も低下しない包装箱を提供することを課題とする。
【課題を解決するための手段】
【００１０】
上記課題を解決するため、この発明は、各一対の平面板及び側面板を筒状に連設し、側面板から延びる端蓋片と、平面板から延びる端蓋板とを貼り合わせて端面を閉じ、側面板から端蓋片にかけて引裂帯を設け、引裂帯の切始部を側面板に形成した包装箱において、平面板の四隅を膨出弧状に切断し、側面板と端蓋片との境界部分に、平面板の弧状縁に沿って順次折れ曲がるように複数条の罫線を入れて曲面部を形成したのである。
【００１１】
また、前記曲面部に、引裂帯に沿ってハの字状の切目を断続的に入れ、手前の切目の先端よりも次の切目の基端が引裂帯の内側に位置するようにしたのである。
【発明の効果】
【００１２】
この包装箱では、側面板と端蓋片との境界部分に曲面部を形成したので、引裂帯を側面板から端蓋片へスムーズに回り込むように引っ張ることができ、引裂帯の千切れが防止され、開梱作業を容易に行うことができる。また、側面板に表裏に貫通する長い切目線を入れる必要がないので、積上荷重に対する強度も確保される。
【００１３】
また、前記曲面部に、引裂帯に沿ってハの字状の切目を断続的に入れ、手前の切目の先端よりも次の切目の基端を内側に位置させると、引裂帯の千切れをさらに確実に防止することができる。
【発明を実施するための最良の形態】
【００１４】
以下、この発明の実施形態を添付図面に基づいて説明する。
【００１５】
図１に示すように、この包装箱の段ボール製ブランクでは、各一対の平面板１及び側面板２が交互に連設され、一方の側面板２の外側には継代片３が連設されている。各側面板２の両端には端蓋片４が、平面板１の両端には端蓋板５がそれぞれ連設されている。
【００１６】
平面板１の四隅は、膨出弧状に切断され、側面板２と端蓋片４の境界部分には、平行な複数条の罫線６を幅方向に入れて、曲面部７をなす部分が形成されている。
【００１７】
側面板２、曲面部７及び端蓋片４には、裏側のライナを切断して引裂帯８が形成され、その切始部９が側面板２の中間部に切目を入れて形成されている。なお、引裂帯８は、段ボールの裏面にカットテープを貼り付けたものとされることもある。
【００１８】
曲面部７には、引裂帯８に沿ってハの字状の切目１０が断続的に入れられ、手前の切目１０の先端よりも次の切目１０の基端が引裂帯８の内側に位置するようになっている。
【００１９】
このような包装箱により飲料缶を梱包する際には、図２に示すように、各一対の平面板１及び側面板２を角筒状に折り曲げて、継代片３を反対側の平面板１の内面に貼り付け、端蓋片４と端蓋板５とを貼り合わせて端面を閉止する。
【００２０】
このとき、平面板１の四隅の弧状縁に沿って、罫線６の作用により曲面部７が順次折れ曲がり、箱の四隅の稜部に丸みが付けられる。
【００２１】
上記包装箱では、開梱に際し、図２に示すように、切始部９を起点に、引裂帯８を側面板２から端蓋片４へスムーズに回り込むように引っ張ることができ、また、隣接する切目１０の間に生じる裂目が途切れることがなく繋がるので、箱体の稜部における引裂帯８の千切れが防止され、開梱作業を容易に行うことができる。
【００２２】
また、側面板２に、表裏に貫通する長い切目線を入れる必要がないので、積上荷重に対する強度も確保される。
【００２３】
そして、このように側面板２及び端蓋板４を切断して、箱体を上下に分割すると、図４に示すように、箱体の上半部を除去して、トレー状となった下半部から露出する飲料缶Ｃを店頭で陳列することができる。
【図面の簡単な説明】
【００２４】
【図１】この発明の実施形態に係る包装箱のブランクを示す図
【図２】同上の梱包状態を示す斜視図
【図３】同上の開梱過程を示す斜視図
【図４】同上の開梱状態を示す斜視図
【図５】従来の一般的包装箱の梱包状態を示す斜視図
【図６】同上の他の包装箱の開梱過程を示す斜視図
【符号の説明】
【００２５】
１  平面板
２  側面板
３  継代片
４  端蓋片
５  端蓋板
６  罫線
７  曲面板
８  引裂帯
９  切始部
１０  切目
【図１】
2006193186.tif 000003
【図２】
2006193186.tif 000004
【図３】
2006193186.tif 000005
【図４】
2006193186.tif 000006
【図５】
2006193186.tif 000007
【図６】
2006193186.tif 000008